(57)【要約】ホワイトスペース中で通信するシステム、方法、およびデバイスが本明細書に記述される。いくつかの態様では、ホワイトスペース中で送信されたワイヤレス通信は、デバイスによって最初に送信を許可する。ワイヤレス通信は、最初の送信を送信する電力を決定するための電力情報を含みうる。最初の送信は、データを送信するために利用可能なホワイトスペース中で１つまたは複数のチャネルを識別する情報を要求するように使用されうる。いくつかの態様では、ワイヤレス通信のためのデバイスが開示される。デバイスは、少なくとも第１のモードおよび第２のモードを持つデータインターリーバを含みうる。モードは、ホワイトスペースの２つまたは４つのチャネルのいずれかを使用して送信することに対応しうる。【選択図】図７
2015528255.tif 000002
【特許請求の範囲】
【請求項１】
ワイヤレス通信装置であって、
符号化されたデータをインターリーブすることと、送信のためにインターリーブされたデータを出力することとを行うように構成されたデータインターリーバと、ここにおいて、前記インターリーバは、少なくとも第１のモードと第２のモードとで構成される複数の空間ストリームを備え、前記第１のモードでは、前記特別なストリームインターリーバは、
２１６に等しいブロックサイズと、
２７に等しいインターリーバ深度と、
４６に等しいベースサブキャリアローテーションと
に設定されるように構成され、
前記第２のモードでは、前記特別なストリームインターリーバは、
４３２に等しいブロックサイズと、
４８に等しいインターリーバ深度と、
７８に等しいベースサブキャリアローテーションと
に設定されるように構成される、
前記第１のモードおよび前記第２のモードのうちの少なくとも１つを選択することと、前記１つまたは複数の空間ストリームを介して送信するために前記インターリーブされたデータを送信することとを行うように構成された送信モジュールと
を備える、ワイヤレス通信装置。
【請求項２】
前記送信モジュールは、利用可能なチャネルの数に少なくとも部分的に基づいてモードを選択するように構成される、
請求項１に記載のワイヤレス通信装置。
【請求項３】
前記送信モジュールは、受信デバイスの能力に少なくとも部分的に基づいてモードを選択するように構成される、請求項１に記載のワイヤレス通信装置。
【請求項４】
前記データは、前記空間ストリームインターリーバの各々に前記符号化されたデータを解析するように構成されるストリームパーザを備える、
請求項１に記載のワイヤレス通信装置。
【請求項５】
前記送信モジュールは、テレビジョンホワイトスペースを使用して送信するように構成される、
請求項１に記載のワイヤレス通信装置。
【請求項６】
前記送信モジュールは、２つのテレビジョンチャネルのホワイトスペースを使用して送信するように構成される、
請求項１に記載のワイヤレス通信装置。
【請求項７】
ワイヤレス送信のためにデータをインターリーブするための方法であって、前記方法は、
第１のモードと第２のモードとのうちの１つを選択することと、
符号化されたデータをインターリーブすることと、１つまたは複数の空間ストリームのために送信のためのインターリービングされたデータを出力することと、ここにおいて、前記第１のモードでは、前記１つまたは複数の空間ストリームのためにインターリーブすることは、
２１６のブロックサイズを使用することと、
２７のインターリーバ深度を使用することと
４６のベースサブキャリアローテーションを使用することと
を備え、
前記第２のモードでは、前記１つまたは複数の空間ストリームのためにインターリーブすることは、
４３２のブロックサイズを使用することと、
４８のインターリーバ深度を使用することと
７８のベースサブキャリアローテーションを使用することと
を備える、
前記１つまたは複数の空間ストリームを介して送信のために前記インターリーブされたデータを送信することと
を備える、方法。
【請求項８】
第１のモードと第２のモードとのうちの１つを選択することは、利用可能なチャネルの数に少なくとも部分的に基づいて第１のモードと第２のモードのうちの１つを選択することを備える
請求項７に記載の方法。
【請求項９】
第１のモードと第２のモードとのうちの１つを選択することは、受信デバイスの能力に少なくとも部分的に基づいて第１のモードと第２のモードとのうちの１つを選択することを備える、
請求項７に記載の方法。
【請求項１０】
送信することは、テレビジョンホワイトスペースを使用して送信することを備える、
請求項７に記載の方法。
【請求項１１】
送信することは、２つのテレビジョンチャネルのホワイトスペースを使用して送信することを備える、請求項７に記載の方法。
【請求項１２】
ワイヤレス通信装置であって、
第１のモードと第２のモードとのうちの１つを選択するための手段と、
符号化されたデータをインターリーブするための手段と、１つまたは複数の空間ストリームのために送信のためのインターリービングされたデータを出力するための手段と、ここにおいて、前記第１のモードでは、前記１つまたは複数の空間ストリームのためにインターリーブすることは、
２１６のブロックサイズを使用することと、
２７のインターリーバ深度を使用することと
４６のベースサブキャリアローテーションを使用することと
を備え、
前記第２のモードでは、前記１つまたは複数の空間ストリームのためにインターリーブすることは、
４３２のブロックサイズを使用することと、
４８のインターリーバ深度を使用することと
７８のベースサブキャリアローテーションを使用することと
を備える、
前記１つまたは複数の空間ストリームを介して送信のために前記インターリーブされたデータを送信することと
を備える、ワイヤレス通信装置。
【請求項１３】
前記第１のモードと第２のモードとのうちの１つを選択するための手段は、利用可能なチャネルの数に少なくとも部分的に基づいて第１のモードと第２のモードのうちの１つを選択するための手段を備える
請求項１２に記載のワイヤレス通信装置。
【請求項１４】
前記第１のモードと第２のモードとのうちの１つを選択するための手段は、受信デバイスの能力に少なくとも部分的に基づいて第１のモードと第２のモードとのうちの１つを選択するための手段を備える、
請求項１２に記載のワイヤレス通信装置。
【請求項１５】
前記送信するための手段は、テレビジョンホワイトスペースを使用して送信するように構成される、
請求項１２に記載のワイヤレス通信装置。
【請求項１６】
前記送信するための手段は、２つのテレビジョンチャネルのホワイトスペースを使用して送信するように構成される、請求項１２に記載のワイヤレス通信装置。
【請求項１７】
実行されたとき、装置に、
第１のモードと第２のモードとのうちの１つを選択することと、
符号化されたデータをインターリーブすることと、１つまたは複数の空間ストリームのために送信のためのインターリービングされたデータを出力することと、ここにおいて、前記第１のモードでは、前記１つまたは複数の空間ストリームのためにインターリーブすることは、
２１６のブロックサイズを使用することと、
２７のインターリーバ深度を使用することと
４６のベースサブキャリアローテーションを使用することと
を備え、
前記第２のモードでは、前記１つまたは複数の空間ストリームのためにインターリーブすることは、
４３２のブロックサイズを使用することと、
４８のインターリーバ深度を使用することと
７８のベースサブキャリアローテーションを使用することと
を備える、
前記１つまたは複数の空間ストリームを介して送信のために前記インターリーブされたデータを送信することと
を行わせるコードを備える、非一時的コンピュータ可読媒体。
【請求項１８】
選択することは、利用可能なチャネルの数に少なくとも部分的に基づいて第１のモードと第２のモードのうちの１つを選択することを備える
請求項１７に記載の媒体。
【請求項１９】
選択することは、受信デバイスの能力に少なくとも部分的に基づいて第１のモードと第２のモードとのうちの１つを選択することを備える、
請求項１７に記載の媒体。
【請求項２０】
送信することは、テレビジョンホワイトスペースを使用して送信することを備える、
請求項１７に記載の媒体。
【請求項２１】
送信することは、２つのテレビジョンチャネルのホワイトスペースを使用して送信することを備える、請求項１７に記載の媒体。
【請求項２２】
ワイヤレス通信装置であって、
１つまたは複数の空間ストリームを介してデータを受信するように構成された受信モジュールと、
前記受信されたデータをデインターリーブするように構成されたデインターリーバと
を備え、前記デインターリーバは、少なくとも第１のモードと第２のモードとで構成される１つまたは複数の空間ストリームに対応する１つまたは複数の空間ストリームデインターリーバを備え、前記第１のモードでは、前記１つまたは複数の空間ストリームデインターリーバは、
２１６に等しいブロックサイズと、
２７に等しいインターリーバ深度と、
４６に等しいベースサブキャリアローテーションと
に設定されるように構成され、
前記第２のモードでは、前記空間ストリームデインターリーバは、
４３２に等しいブロックサイズと、
４８に等しいインターリーバ深度と、
７８に等しいベースサブキャリアローテーションと
に設定されるように構成される、ワイヤレス通信装置。
【請求項２３】
前記受信モジュールは、テレビジョンホワイトスペースを使用してデータを受信するように構成される、
請求項２２のワイヤレス通信装置。
【請求項２４】
前記受信モジュールは、２つのテレビジョンチャネルのホワイトスペースにわたってデータを受信するように構成される、
請求項２２に記載のワイヤレス通信装置。
【請求項２５】
データをデインターリーブするための方法であって、前記方法は、
１つまたは複数の空間ストリームを介してデータを受信することと、
前記受信したデータをデインターリーブすることと、第１のモードと第２のモードとのうちの少なくとも１つ中の前記１つまたは複数の空間ストリームのためにデインターリーブされたデータを出力することと
を備え、前記第１のモード中で前記１つまたは複数の空間ストリームのためにデインターリーブすることは、
２１６のブロックサイズを使用することと、
２７のインターリーバ深度を使用することと
４６のベースサブキャリアローテーションを使用することと
を備え、
前記第２のモード中で前記１つまたは複数の空間ストリームのためにデインターリーブすることは、
４３２のブロックサイズを使用することと、
４８のインターリーバ深度を使用することと
７８のベースサブキャリアローテーションを使用することと
を備える、方法。
【請求項２６】
受信することは、テレビジョンホワイトスペースを使用して受信することを備える、
請求項２５に記載の方法。
【請求項２７】
受信することは、２つのテレビジョンチャネルのホワイトスペースを使用して受信することを備える、請求項２５に記載の方法。
【請求項２８】
ワイヤレス通信装置であって、
１つまたは複数の空間ストリームを介してデータを受信するための手段と、
前記受信したデータをデインターリーブするように構成されたデータをデインターリーブするための手段と
を備え、前記デインターリーブするための手段は、第１のモードと第２のモードとで構成される１つまたは複数の空間ストリームに対応するストリームをデインターリーブするための１つまたは複数の手段を備え、前記第１のモードでは、前記ストリームをデインターリーブするための１つまたは複数の手段は、
２１６に等しいブロックサイズと、
２７に等しいインターリーバ深度と、
４６に等しいベースサブキャリアローテーションと
に設定されるように構成され、
前記第２のモードでは、前記ストリームをデインターリーブするための１つまたは複数の手段は、
４３２に等しいブロックサイズと、
４８に等しいインターリーバ深度と、
７８に等しいベースサブキャリアローテーションと
に設定されるように構成される、ワイヤレス通信装置。
【請求項２９】
前記受信するための手段は、テレビジョンホワイトスペースを使用して受信するように構成される、
請求項２８に記載のワイヤレス通信装置。
【請求項３０】
前記受信するための手段は、２つのテレビジョンチャネルのホワイトスペースにわたってデータを受信するように構成される
請求項２８に記載のワイヤレス通信装置。
【請求項３１】
実行されたとき、装置に、
１つまたは複数の空間ストリームを介してデータを受信することと、
前記受信したデータをデインターリーブすることと、第１のモードと第２のモードとのうちの少なくとも１つ中の前記１つまたは複数の空間ストリームのためにデインターリーブされたデータを出力することと
を行わせるコードを備え、前記第１のモード中で前記１つまたは複数の空間ストリームのためにデインターリーブすることは、
２１６のブロックサイズを使用することと、
２７のインターリーバ深度を使用することと
４６のベースサブキャリアローテーションを使用することと
を備え、
前記第２のモード中で前記１つまたは複数の空間ストリームのためにデインターリーブすることは、
４３２のブロックサイズを使用することと、
４８のインターリーバ深度を使用することと
７８のベースサブキャリアローテーションを使用することと
を備える、非一時的コンピュータ可読媒体。
【請求項３２】
受信することは、テレビジョンホワイトスペースを使用して受信することを備える、
請求項３１に記載の方法。
【請求項３３】
前記受信することは、２つのテレビジョンホワイトスペースを使用して受信することを備える、
請求項３１に記載の方法。
【発明の詳細な説明】
【関連出願】
【０００１】
３５Ｕ．Ｓ．Ｃ．§１１９の下の優先権主張
[0001]本出願は、その全体が参照により本明細書に明確に組み込まれる、２０１２年７月１６日に出願され、「SYSTEMS AND METHODS FOR FREQUENCY INTERLEAVING FOR WHITESPACE TRANSMISSION」と題される、米国仮出願第６１／６７２，１４６号の優先権の利益を主張する。
【技術分野】
【０００２】
[0002]本出願は、一般に、ワイヤレス通信に関し、より具体的に、ホワイトスペース中で通信するためのシステム、方法、およびデバイスに関する。例えば、本明細書のある態様は、テレビジョン（ＴＶ）ホワイトスペース（ＴＶＷＳ）中の通信に関しうる。
【背景技術】
【０００３】
[0003]高レートワイヤレスデータサービスの人気は、組織化されたワイヤレスネットワークとアドホックワイヤレスネットワークとの両方によって利用可能な周波数スペクトルにアクセスするための需要を増加させている。要求を満たす能力は、地理的エリア内の信頼できる通信のために使用されうる利用可能な周波数スペクトルの不足によってしばしば制限される。固有周波数スペクトルの限定および多くの国々で採用されるライセンシングスペクトルのモデルを考えると、それは、スペクトルアクセスのための増加する需要を受け入れるために挑戦している。
【０００４】
[0004]多くの国々では、利用可能な周波数スペクトルは、多くの認可された周波数帯域と無認可の周波数帯域に分けられる。ワイヤレスセルラネットワークおよびいくつかのテレビジョンチャネル送信は、認可された周波数帯域中で典型的に動作する。例えば、ネットワークオペレータは、特定の認可された帯域のライセンシでありうる。ライセンシとして、ネットワークオペレータは、例えば、干渉の無許可のソースが低減されるように、他の潜在的ユーザを排除することができうる。
【０００５】
[0005]そのような認可されたスペクトルモデルの欠点は、それがある周波数帯域より少ない利用につながることである。例えば、利用可能なライセンスがあるよりある地域においてより少数のライセンシがいうる。認可することを条件とするないし使用するために割り当てられるが、無認可またはあるエリア中で未使用の周波数は、ホワイトスペースと称されうる。
【０００６】
[0006]ホワイトスペース中の１つまたは複数のチャネルを通じて通信することは、周波数帯域の利用を増加させる、および／またはワイヤレス通信の効率を増加させうる。例えば、ホワイトスペース中の１つまたは複数の周波数は、周波数の有益な性質を活用する、および／または他の周波数上の輻輳を軽減するために、通信に選ばれうる。したがって、ホワイトスペース中で通信するための改善されたシステム、方法、および装置が望まれる。
【発明の概要】
【０００７】
[0007]本発明のシステム、方法、およびデバイスは、いくつかの態様をそれぞれ有し、これらのうちの何れも、単独でその好ましい属性を担うものではない。後続する特許請求の範囲によって示される本発明の範囲を限定することなく、ここでいくつかの特徴が簡潔に説明される。この議論を考慮した後、特に「発明を実施するための形態」と題するセクションを読んだ後、当業者は、本願発明の特性のどこが利点を提供するかを理解することになる。
【０００８】
[0008]１つの態様では、ワイヤレス通信装置が開示される。装置は、符号化されたデータをインターリーブすることと、送信のためにインターリーブされたデータを出力することとを行うように構成されたデータインターリーバと、ここにおいて、インターリーバは、少なくとも第１のモードと第２のモードとで構成される複数の空間ストリームインターリーバを備え、第１のモードでは、特別なストリームインターリーバは、ブロックサイズを２６１に等しく、インターリーバ深度を２７に等しく、ベースサブキャリアローテーションを４６に等しく、設定することを行うように構成され、第２のモードでは、特別なストリームインターリーバは、ブロックサイズを４３２に等しく、インターリーバ深度を４８に等しく、ベースサブキャリアローテーションを７８に等しく、設定することを行うように構成される、第１のモードおよび第２のモードのうちの少なくとも１つを選択することと、１つまたは複数の空間ストリームを介して送信のためのインターリーブされたデータを送信することとを行うように構成された送信機モジュールとを備える。
【０００９】
[0009]別の態様では、ワイヤレス送信のためのデータをインターリーブするための方法が開示される。方法は、第１のモードと第２のモードのうちの１つを選択することと、符号化されたデータをインターリーブすることと、１つまたは複数の空間ストリームに対して送信のためのインターリーブされたデータを出力することと、ここにおいて、第１のモードでは、１つまたは複数の空間ストリームのためにインターリーブすることは、２１６のブロックサイズを使用することと、２７のインターリーバ深度を使用することと、４６のベースサブキャリアローテーションを使用することとを備え、第２のモードでは、１つまたは複数の空間ストリームのためにインターリーブすることは、４３２のブロックサイズを使用することと、４８のインターリーバ深度を使用することと、７８のベースサブキャリアローテーションを使用することとを備える、１つまたは複数の空間ストリームを介して送信のためにインターリーブされたデータを送信することとを備える。
【００１０】
[0010]別の態様は、ワイヤレス通信装置である。装置は、第１のモードおよび第２のモードのうちの１つを選択するための手段と、符号化されたデータをインターリーブするための手段と、１つまたは複数の空間ストリームに対して送信するためのインターリーブされたデータを出力するための手段と、ここにおいて、第１のモードでは、１つまたは複数の空間ストリームのためにインターリーブすることは、２１６のブロックサイズを使用することと、２７のインターリーバ深度を使用することと、４６のベースサブキャリアローテーションを使用することとを備え、第２のモードでは、１つまたは複数の空間ストリームのためにインターリーブすることは、４３２のブロックサイズを使用することと、４８のインターリーバ深度を使用することと、７８のベースサブキャリアローテーションを使用することとを備える、１つまたは複数の空間ストリームを介して送信のためにインターリーブされたデータを送信するための手段とを備える。
【００１１】
[0011]別の態様は、実行されたとき、装置に、第１のモードと第２のモードのうちの１つを選択することと、符号化されたデータをインターリーブすることと、１つまたは複数の空間ストリームに対して送信するためのインターリーブされたデータを出力することと、ここにおいて、第１のモードでは、１つまたは複数の空間ストリームのためにインターリーブすることは、２１６のブロックサイズを使用することと、２７のインターリーバ深度を使用することと、４６のベースサブキャリアローテーションを使用することとを備え、第２のモードでは、１つまたは複数の空間ストリームのためにインターリーブすることは、４３２のブロックサイズを使用することと、４８のインターリーバ深度を使用することと、７８のベースサブキャリアローテーションを使用することとを備える、１つまたは複数の空間ストリームを介して送信のためにインターリーブされたデータを送信することとを行わせるコードを備える非一時的コンピュータ可読媒体である。
【００１２】
[0012]別の態様は、ワイヤレス通信装置である。装置は、１つまたは複数の空間ストリームを介してデータを受信することを行うように構成された受信モジュールと、受信したデータをデインターリーブすることを行うように構成されたデインターリーバとを備え、デインターリーバは、少なくとも第１のモードと第２のモードで構成された１つまたは複数の空間ストリームに応答し、第１のモードでは、１つまたは複数の空間ストリームは、第１のモードでは、空間ストリームインターリーバは、ブロックサイズを２６１に等しく、インターリーバ深度を２７に等しく、ベースサブキャリアローテーションを４６に等しく、設定することを行うように構成され、第２のモードでは、空間ストリームインターリーバは、ブロックサイズを４３２に等しく、インターリーバ深度を４８に等しく、ベースサブキャリアローテーションを７８に等しく、設定することを行うように構成される。
【００１３】
[0013]別の態様は、データをデインターリーブするための方法である。方法は、１つまたは複数の空間のストリームを介してデータを受信することと、受信したデータをデインターリーブすることと、第１のモードと第２のモードのうちの少なくとも１つで１つまたは複数の空間ストリームのためのデインターリーブされたデータを出力することとを備え、第１のモードでは、１つまたは複数の空間ストリームのためにデインターリーブすることは、２１６のブロックサイズを使用することと、２７のインターリーバ深度を使用することと、４６のベースサブキャリアローテーションを使用することとを備え、第２のモードでは、１つまたは複数の空間ストリームのためにデインターリーブすることは、４３２のブロックサイズを使用することと、４８のインターリーバ深度を使用することと、７８のベースサブキャリアローテーションを使用することとを備える。
【００１４】
[0014]別の態様は、１つまたは複数の空間ストリームを介してデータを受信するように構成されたデータを受信するための手段と受信されたデータをデインターリーブするように構成されたデータをデインターリーブするための手段とを備え、デインターリーブするための手段は、少なくとも第１のモードと第２のモードとで構成された１つまたは複数の空間ストリームに対応し、第１のモードでは、ストリームをデインターリーブするための１つまたは複数の手段は、ブロックサイズを２６１に等しく、インターリーバ深度を２７に等しく、ベースサブキャリアローテーションを４６に等しく、設定することを行うように構成され、第２のモードでは、ストリームをデインターリーブする１つまたは複数の手段は、ブロックサイズを４３２に等しく、インターリーバ深度を４８に等しく、ベースサブキャリアローテーションを７８に等しく、設定することを行うように構成される。
【００１５】
[0015]別の態様は、実行された時、装置に、１つまたは複数の空間ストリームを介してデータを受信することと、受信されたデータをデインターリーブすることと、第１のモードと第２のモードとのうちの少なくとも１つで、１つまたは複数の空間ストリームのためのデータを出力することと、ここにおいて、第１のモードでは、１つまたは複数の空間ストリームに対してデインターリーブすることは、２１６のブロックサイズを使用することと、２７のインターリーバ深度を使用することと、４６のベースサブキャリアローテーションを使用することとを備え、第２のモードでは、１つまたは複数の空間ストリームに対してデインターリーブすることは、４３２のブロックサイズを使用することと、４８のインターリーバ深度を使用することと、７８のベースサブキャリアローテーションを使用することとを備える、
【図面の簡単な説明】
【００１６】
【図１】本開示の態様が用いられうるワイヤレス通信システムの例を説明する図。
【図２】図１のワイヤレス通信システム内で用いられうる例示的なワイヤレスデバイスの機能ブロック図を示す図。
【図３】ワイヤレス通信を送信するために図２のワイヤレスデバイス中で利用されうる例示的なコンポーネントの機能ブロック図を示す図。
【図４】ワイヤレス通信を受信するために図２のワイヤレスデバイス中で利用されうる例示的なコンポーネントの機能ブロック図を示す図。
【図５】デバイスがデータベースと通信する、図１のワイヤレス通信システム内で用いられうる、デバイスの態様の機能ブロック図。
【図６】図３のデータベースの態様の描写である図。
【図７】ワイヤレス通信を送受信するために図２のワイヤレスデバイスのようなワイヤレスデバイス中で実装されうるＭＩＭＯシステムの機能ブロック図。
【図８】信号対雑音比（ＳＮＲ）対パケット誤り率（ＰＥＲ）を示すプロットを持つＮＣＯＬの様々な選択のための性能のシミュレーションの例を示すプロットである図。
【図９】信号対雑音比（ＳＮＲ）対パケット誤り率（ＰＥＲ）を示すプロットを持つＮＣＯＬの様々な選択のための性能のシミュレーションの例を示すプロットである図。
【図１０】信号対雑音比（ＳＮＲ）対パケット誤り率（ＰＥＲ）を示すプロットを持つＮＣＯＬの様々な選択のための性能のシミュレーションの例を示すプロットである図。
【図１１】信号対雑音比（ＳＮＲ）対パケット誤り率（ＰＥＲ）を示すプロットを持つＮＣＯＬの様々な選択のための性能のシミュレーションの例を示すプロットである図。
【図１２】信号対雑音比（ＳＮＲ）対パケット誤り率（ＰＥＲ）を示すプロットを持つＮＣＯＬの様々な選択のための性能のシミュレーションの例を示すプロットである図。
【図１３】信号対雑音比（ＳＮＲ）対パケット誤り率（ＰＥＲ）を示すプロットを持つＮＣＯＬの様々な選択のための性能のシミュレーションの例を示すプロットである図。
【図１４】信号対雑音比（ＳＮＲ）対パケット誤り率（ＰＥＲ）を示すプロットを持つＮＣＯＬの様々な選択のための性能のシミュレーションの例を示すプロットである図。
【図１５】信号対雑音比（ＳＮＲ）対パケット誤り率（ＰＥＲ）を示すプロットを持つＮＣＯＬの様々な選択のための性能のシミュレーションの例を示すプロットである図。
【図１６】図７のインターリーバの例示の機能ブロック図。
【図１７】２つのセグメントを使用する送信のためのビットストリームをインターリーブするための例示の方法のフローチャート図。
【図１８】２つのセグメントを使用する送信のためのビットストリームをインターリーブするための例示の方法のフローチャート図。
【図１９】２つのセグメントを使用して受信されたビットストリームをデインターリーブするための例示の方法のフローチャート図。
【図２０】２つのセグメントを使用して受信されたビットストリームをデインターリーブするための例示の方法のフローチャート図。
【図２１】図１のワイヤレス通信システム内で用いられうる別の例示的なワイヤレスデバイスの機能ブロック図。
【図２２】図１のワイヤレス通信システム内で用いられうる別の例示的なワイヤレスデバイスの機能ブロック図。
【００１７】
[0031]共通の実施にしたがって、図面で説明される様々な特性は、共通の尺度で測れるように描かれえない。したがって、その様々な特徴のディメンジョンは、明確性のために任意で拡張または縮小されうる。加えて、図面のうちのいくつかは、所与のシステム、方法、またはデバイスのコンポーネントのうちの全てを描写しえない。同様に、図面のうちのいくつかは、所与のシステム、方法、またはデバイスが実際に実装されるよりも多くのコンポーネントを描写しうる。さらに、同様の参照番号は、明細書および図面を通じて同様の特性を示すために使用されうる。
【発明を実施するための形態】
【００１８】
[0032]新規のシステム、装置、および方法の様々な態様は、添付の図面に関連して以下でより完全に記述される。しかしながら、技術の開示は、多くの異なる形式で具現化されてもよく、本開示全体を通じて提示される任意の特定の構造または機能に限定されるものとして解釈すべきではない。むしろ、これらの態様は、本開示が徹底的で完全であり、当業者に本開示の範囲を十分に伝えることになるように提供される。本明細書での教示に基づいて、本発明の他の任意の態様から独立して、または本発明の他の任意の態様と組み合わせて、実装されるかどうかかかわらず、本開示の範囲が、本明細書で開示する新規のシステム、装置、および、方法の任意の態様をカバーするように意図されることを、当業者は正しく認識すべきである。例えば、本明細書で述べられる態様の任意の数を使用して、装置が実装される、または方法が実施されうる。加えて、本開示の範囲は、他の構造、機能性、または本明細書で述べられる開示の様々な態様以外のまたはそれらの態様に加えた構造および機能を使用して実施されるそのような装置または方法をカバーするように意図される。ここで開示される開示の任意の態様は、請求項の１つまたは複数の要素によって具現化されうることは留意されたい。
【００１９】
[0033]特定の態様が本明細書に記述されるが、これらの態様の多くの変形および置換は、本開示の範囲内に含まれる。好ましい態様の何らかの利益および利点を述べるが、本開示の範囲は、特定の利益、使用、または、目的に限定されることを意図していない。むしろ、本開示の態様は、異なるワイヤレス技術、システム構成、ネットワーク、および、送信プロトコルに広く適用可能であるように意図されており、そのうちのいくつかは、一例として、図面中および好ましい態様の以下の記述中で示されている。詳細な記述および図面は、限定ではなく、本開示の単なる例示であり、本開示の範囲は、添付の特許請求の範囲およびそれらの均等物により規定されている。
【００２０】
[0034]本明細書に記述される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような様々な無線通信ネットワークのために使用されうる。「ネットワーク」および「システム」という用語は、しばしば交換可能に使用される。ＣＤＭＡネットワークは、ユニバーサルテレストリアルラジオアクセス（ＵＴＲＡ）、ＣＤＭＡ２０００等のような無線技術を実装しうる。ＵＴＲＡは、広帯域ＣＤＭＡ（Ｗ−ＣＤＭＡ）および低チップレート（ＬＣＲ）を含む。ＣＤＭＡ２０００は、ＩＳ−２０００規格、ＩＳ−９５規格、およびＩＳ−８５６規格をカバーする。ＴＤＭＡネットワークは、モバイル通信のためのグローバルシステム（ＧＳＭ（登録商標））のような無線技術を実装しうる。ＯＦＤＭＡネットワークは、発展型ＵＴＲＡ（Ｅ−ＵＴＲＡ）、ＩＥＥＥ ８０２．１１、ＩＥＥＥ ８０２．１５、ＩＥＥＥ ８０２．１６、ＩＥＥＥ ８０２．２０、フラッシュ−ＯＦＤＭ（登録商標）、等のような無線技術を実装しうる。ＵＴＲＡ、Ｅ−ＵＴＲＡ、およびＧＳＭは、ユニバーサルモバイルテレコミュニケーションシステム（ＵＭＴＳ）の一部であるロングタームエボリューション（ＬＴＥ）は、Ｅ−ＵＴＲＡを用いるＵＭＴＳの最新の来たるリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と命名された団体からの文書内に記述される。同様に、ｃｄｍａ２０００は、「第３世代パートナーシッププロジェクト２」（３ＧＰＰ２）と命名された団体からの文書内に記述される。
【００２１】
[0035]本明細書に記述された態様は、テレビジョン（ＴＶ）ブロードキャスタに認可するために定義された周波数を備えるホワイトスペースと連結して使用される。そのようなホワイトスペースは、ＴＶホワイトスペース（ＴＶＷＳ）と称されうる。いくつかの態様では、本明細書に記述されたデバイスおよび方法の態様は、例えばＯＦＤＭを使用して、８０２．１１ａｆのような標準を実装しうる。いくつかの態様では、本明細書に記述されたデバイスと方法は、８０２．１１ｚのような標準または８０２．２２標準のうちの１つを実装しうる。例示のみの目的で、本明細書のデバイスと方法は、８０２．１１ａｆ標準およびＴＶＷＳと一致して記述されることになる。しかしながら、当業者は、本明細書に記述されるシステム、方法、およびデバイスが８０２．１１ａｆ以外の標準およびＴＶＷＳ以外のホワイトスペースと連結されて使用されうることを認識するだろう。
【００２２】
[0036]いくつかの態様では、本明細書の教示は、マクロスケールカバレージ（例えば、典型的にマクロセルネットワークと称される、３Ｇネットワークのような広域セルラネットワーク）とより小さなスケールのカバレージ（例えば、住居または建物をベースとするネットワーク環境）とを含むネットワークに採用されうる。アクセス端末（ＡＴ）またはユーザ機器（「ＵＥ」）がそのようなネットワークを通って移動すると、アクセス端末は、あるロケーションで、マクロセルカバレージを提供するアクセスノード（ＡＮ）によってサービス提供される一方、アクセス端末は、他のロケーションで、より小さいスケールのカバレージを提供するアクセスノードによってサービス提供されうる。いくつかの態様では、より小さなカバレージのノードは、（例えば、より強固なユーザ体験のために）インクリメンタルなキャパシティ増加、建物内のカバレージ、および異なるサービスを提供するために使用されうる。本明細書の論議では、比較的広いエリアにわたるカバレージを提供するノードは、マクロノードと称されうる。比較的狭いエリア（例えば、住宅）にわたるカバレージを提供するノードは、フェムトノードと称されうる。マクロエリアよりも狭く、かつフェムトエリアよりも広いエリアにわたるカバレージを提供するノードは、（例えば、商業施設内のカバレージを提供する）ピコノードと称されうる。
【００２３】
[0037]いくつかの態様では、アクセスノードは、アクセスポイント（「ＡＰ」）および／またはクライアント（局または「ＳＴＡ」とも称される）を備えうる。概して、ＡＰは、ネットワークのためのハブか基地局としてサービスし、ＳＴＡは、ネットワークのユーザとしてサービスする。例えば、ＳＴＡは、ラップトップコンピュータ、携帯情報端末（ＰＤＡ）、携帯電話、等でありうる。例示では、ＳＴＡは、インターネットまたは他の広域ネットワークへの一般的な接続を取得するために、ＷｉＦｉ（例えば、ＩＥＥＥ  ８０２．１１プロトコル）準拠のワイヤレスリンクを介してＡＰに接続する。いくつかの実装では、ＳＴＡはさらに、ＡＰとして使用されうる。いくつかの態様では、ＴＣＷＳのようなホワイトスペースにアクセスするまたは利用するＷｉＦｉプロトコルは、Ｗｈｉｔｅ−Ｆｉプロトコルと称されうる。
【００２４】
[0038]局「ＳＴＡ」はさらに、アクセス端末（以上で議論されたような「ＡＴ」）、加入者局、加入者ユニット、移動局、リモート局、リモート端末、ユーザ端末、ユーザエージェント、ユーザデバイス、ユーザ機器、または何らかの他の専門用語を備えることができ、これらとして実装されることができ、または、これらとして周知でありうる。いくつかの実装では、ワイヤレス端末は、セルラ電話機、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続されたある他の処理デバイスであることができる。したがって、本明細書で教示する１つまたは複数の態様は、電話機（例えば、セルラ電話機またはスマートフォン）中に、コンピュータ（例えば、ラップトップ）中に、ポータブル通信デバイス中に、ポータブルコンピューティングデバイス（例えば、パーソナルデータアシスタント）中に、エンターテインメントデバイス（例えば、音楽またはビデオデバイス、あるいは、衛星ラジオ）中に、ゲーミングデバイスまたはシステム、グローバルポジショニングシステムデバイス中に、または、ワイヤレス媒体を介して通信するように構成される任意の他の適切なデバイス中に、組み込まれうる。
【００２５】
[0039]アクセスポイント（「ＡＰ」）はさら、ノードＢ、無線ネットワーク制御器（「ＲＮＣ」）、ｅＮｏｄｅＢ、基地局制御装置（「ＢＳＣ」）、基地トランシーバ局（「ＢＴＳ」）、基地局（「ＢＳ」）、トランシーバ機能（「ＴＦ」）、無線ルータ、トランシーバあるいはある他の用語を備えることができ、これらとして実装されることができ、または、これらとして周知でありうる。
【００２６】
[0040]マクロノード、フェムトノード、またはピコノードに関連付けられたセルは、それぞれマクロセル、フェムトセル、ピコセルと称されうる。いくつかの実装では、各セルは、１つまたは複数のセクタにさら関係しうる（例えば、１つまたは複数のセクタに分割されうる）。
【００２７】
[0041]様々なアプリケーションでは、他の用語が、マクロノード、フェムトノード、またはピコノードを参照するために使用されうる。例えば、マクロノードは、アクセスノード、基地局、アクセスポイント、ｅノードＢ、マクロセルとして構成されるか、あるいは、そのように呼ばれうる。さらに、フェムトノードは、ホームノードＢ（ＨＮＢ）、ホームｅノードＢ（ＨｅＮＢ）、アクセスポイント基地局、フェムトセル、等として構成されうる、または称されうる。
【００２８】
[0042]以上で議論されるように、システムにおけるホワイトスペースは、十分に利用されえない。周波数スペクトルのうちの十分に利用されない部分はさらに、スペクトルホールとも称されうる。
【００２９】
[0043]周波数共有は、所与の時間でおよび／または特定の地理的ロケーション中でそれぞれの認可された周波数帯域のための認可された送信機またはユーザが全くいない場合に、無認可のユーザに周波数スペクトルの認可された部分へのアクセスを許可する。いくつかの態様では、特定の認可された帯域が特定のエリアで使用されず、その後、認可保有者の送信に重大な干渉を引き起こさずに通信のためにその帯域を使用するとき、無認可のユーザは、時期をルックアップすることができうる、さもなければ時期を検出することができうる。
【００３０】
[0044]図１は、本開示の態様が用いられうるワイヤレス通信システム１００の例を説明する。ワイヤレス通信システム１００は、ワイヤレス基準、例えば、８０２．１１ａｆ基準にしたがって動作しうる。ワイヤレス通信システム１００は、ＳＴＡ１０６と通信する、ＡＰ１０４を含みうる。
【００３１】
[0045]様々なプロセスおよび方法は、ＡＰ１０４とＳＴＡ１０６との間のワイヤレス通信システム１００中での送信に使用されうる。例えば、信号は、ＯＦＤＭ／ＯＦＤＭＡ技術に従って、ＡＰ１０４とＳＴＡ１０６との間で送られ受信されうる。この場合、ワイヤレス通信システム１００は、ＯＦＤＭ／ＯＦＤＭＡシステムと称されうる。代替として、信号は、ＣＤＭＡ技術に従ってＡＰ１０４とＳＴＡ  １０６との間で送られ受信されうる。この場合、ワイヤレス通信システム１００は、ＣＤＭＡシステムと称されうる。
【００３２】
[0046]ＡＰ  １０４からＳＴＡ１０６のうちの１つまたは複数への送信を容易にする通信リンクは、ダウンリンク（ＤＬ）１０８と称され、ＳＴＡ１０６のうちの１つまたは複数からＡＰ１０４への送信を容易にする通信リンクは、アップリンク（ＵＬ）１１０と称されうる。代替として、ダウンリンク１０８は、順方向リンクまたは順方向チャネルと称され、アップリンク１１０は、逆方向リンクまたは逆方向チャネルと称されうる。
【００３３】
[0047]ＡＰ１０４は、基地局として動作し、ベーシックサービスエリア（ＢＳＡ）１０２中のワイヤレス通信カバレージを提供しうる。ＡＰ１０４と関連付けられ、通信のためにＡＰ１０４を使用するＳＴＡ１０６と同様に、ＡＰ１０４は、ベーシックサービスセット（ＢＳＳ）と称されうる。ワイヤレス通信システム１００がセントラルＡＰ１０４を有さず、むしろＳＴＡ１０６の間のピアツーピアネットワークとして機能しうることに注意すべきである。従って、本明細書に記述されたＡＰ１０４の機能は、ＳＴＡ１０６のうちの１つまたは複数によって代わりに実行されうる。
【００３４】
[0048]図２は、ワイヤレス通信システム１００内で用いられうるワイヤレスデバイス２０２において利用されうる様々なコンポーネントを説明する。ワイヤレスデバイス２０２は、本明細書に記述される様々な方法を実装するように構成されうるデバイスの例である。例えば、ワイヤレスデバイス２０２は、ＡＰ１０４またはＳＴＡ１０６のうちの１つを備えうる。
【００３５】
[0049]ワイヤレスデバイス２０２は、ワイヤレスデバイス２０２の動作を制御するプロセッサ２０４を含みうる。プロセッサ２０４はまた、中央処理ユニット（ＣＰＵ）と称されうる。読取専用メモリ（ＲＯＭ）とランダムアクセスメモリ（ＲＡＭ）との両方を含みうるメモリ２０６は、命令およびデータをプロセッサ２０４に提供する。メモリ２０６の一部はさらに、不揮発性ランダムアクセスメモリ（ＮＶＲＡＭ）を含みうる。プロセッサ２０４は、典型的に、メモリ２０６内に記憶されたプログラム命令に基づいて、論理および算術演算を実行する。メモリ２０６における命令は、本明細書において記述される方法を実装するために実行可能でありうる。
【００３６】
[0050]プロセッサ２０４は、１つまたは複数のプロセッサを用いて実装される処理システムのコンポーネントを備える、処理システムのコンポーネントでありうる。１つまたは複数のプロセッサは、汎用マイクロプロセッサ、マイクロ制御器、デジタル信号プロセサ（ＤＳＰ）、フィールドプログラマブルゲートアレイ（ＦＰＧＡ）、プログラマブル論理回路（ＰＬＤ）、制御器、ステートマシン、ゲート制御された論理、離散的なハードウェアコンポーネント、ゲート論理（gated logic）、個別ハードウェアコンポーネント、または計算または情報の他の操作を実行する任意の他の適切なエンティティで実行されうる。
【００３７】
[0051]処理システムはさらに、ソフトウェアを記憶するための機械可読媒体を含みうる。ソフトウェア、ファームウェア、ミドルウェア、マイクロコード、ハードウェア記述言語、またはその他のものと称されるか否かにかかわらず、ソフトウェアは、命令の任意のタイプを意味するように広く解釈されるべきである。命令は、（例えば、ソースコードフォーマット、バイナリコードフォーマット、実行可能なコードフォーマット、またはコードの任意の他の適切なフォーマット中の）コードを含みうる。１つまたは複数のプロセッサによって実行されるとき、命令は、処理システムに、本明細書に記述される様々な機能を実行させる。
【００３８】
[0052]ワイヤレスデバイス２０２はまた、ワイヤレスデバイス２０２および遠隔ロケーション間でデータの送信および受信を許可するための送信機２１０および受信機２１２を含みうるハウジング２０８を含みうる。送信機２１０および受信機２１２は、トランシーバ２１４に組み合わせられうる。アンテナ２１６は、ハウジング２０８に取り付けられ、トランシーバ２１４と電気的に結合されうる。ワイヤレスデバイス２０２はまた、（示されていない）複数の送信機、複数の受信機、複数のトランシーバ、および／または複数のアンテナを含みうる。
【００３９】
[0053]ワイヤレスデバイス２０２はまた、トランシーバ２１４によって受信された信号のレベルを検出し、定量化する目的で使用されうる信号検出器２１８を含みうる。信号検出器２１８は、合計エネルギー、シンボルあたりのサブキャリアごとのエネルギー、電力スペクトル密度、および他の信号のような信号を検出しうる。ワイヤレスデバイス２０２はまた、信号を処理する際に使用するための、デジタル信号プロセッサ（ＤＳＰ）２２０を含みうる。ＤＳＰ２２０は、送信のためのデータユニットを生成するように構成されうる。いくつかの態様では、データユニットは、物理レイヤデータユニット（ＰＰＤＵ）を含みうる。いくつかの態様では、ＰＰＤＵは、パケットと称されうる。
【００４０】
[0054]ワイヤレスデバイス２０２は、いくつかの態様におけるユーザインターフェース２２２をさらに備えうる。ユーザインターフェース２２２は、キーパッド、マイクロフォン、スピーカ、および／またはディスプレイを備えうる。ユーザインターフェース２２２は、ワイヤレスデバイス２０２のユーザに情報を伝達する、および／またはユーザから入力を受信する任意の要素またはコンポーネントを含みうる。
【００４１】
[0055]ワイヤレスデバイス２０２の様々なコンポーネントは、バスシステム２２６によって互いに結合されうる。バスシステム２２６は、データバスを含み、例えば、データバスに加えて、電力バス、制御信号バス、および状態信号バスを含みうる。当業者は、ワイヤレスデバイス２０２のコンポーネントがともに結合される、またはある他のメカニズムを使用して互いに入力を受け取るあるいは提供することを理解することになる。
【００４２】
[0056]多数の個別のコンポーネントは、図２で説明されるが、当業者は、コンポーネントのうちの１つまたは複数が組み合されるまたは共通に実装されることを認識することになる。例えば、プロセッサ２０４は、プロセッサ２０４に関して以上で記述された機能性のみを実装するのではなく、信号検出器２１８および／またはＤＳＰ２２０に関して以上で議論する機能性を実装するように使用され得る。さらに、図２で説明されたコンポーネントの各々は、複数の個別の要素を使用して実装されうる。
【００４３】
[0057]以上で議論されるように、ワイヤレスデバイス２０２は、ＡＰ１０４またはＳＴＡ１０６を備え、通信を送信および／または受信するために使用されうる。図３は、ワイヤレス通信を送信するためにワイヤレスデバイス２０２で利用されうる様々なコンポーネントを説明する。図３で説明されるコンポーネントは、例えば、ＯＦＤＭ通信を送信するために使用されうる。いくつかの態様では、図３で説明されるコンポーネントは、追加の詳細を以下で議論することになるにように、ピーク対電力平均比ができるだけ低くなるトレーニングフィールドを持つデータユニットを送信するように使用される。参照の容易さのために、図３に説明されたコンポーネントで構成されたワイヤレスデバイス２０２は、以下にワイヤレスデバイス２０２ａと称されうる。
【００４４】
[0058]ワイヤレスデバイス２０２ａは、送信のためのビットを調節するように構成される変調器３０２を含みうる。例えば、変調器３０２は、例えばコンステレーションにしたがって複数のシンボルにビットをマッピングすることによって、プロセッサ２０４またはユーザインターフェース２２２から受信したビットから複数のシンボルを決定しうる。ビットは、ユーザデータまたは制御情報に対応しうる。いくつかの態様では、ビットは、コードワードで受信されうる。１つの態様では、変調器３０２は、ＱＡＭ（直交振幅変調）変調器、例えば、１６−ＱＡＭ変調器、または６４−ＱＡＭ変調器を備える。他の態様では、変調器３０２は、二位相偏移変調（ＢＰＳＫ）変調器、または四位相偏移変調（ＱＰＳＫ）変調器を備える。
【００４５】
[0059]ワイヤレスデバイス２０２ａは、変調器３０２からのシンボルまたはさもなければ調節されたビットを時間ドメインに変換するように構成された変換モジュール３０４をさらに備えうる。図３では、変換モジュール３０４は、逆高速フーリエ変換（ＩＦＦＴ）モジュールによって実装されることとして説明される。いくつかの実装では、異なるサイズのデータのユニットを変換する複数の変換モジュール（図示せず）がある。
【００４６】
[0060]図３では、変調器３０２および変換モジュール３０４は、ＤＳＰ２２０に実装されるものとして説明される。しかしながら、いくつかの態様では、変調器３０２および変換モジュール３０４のうちの１つまたは両方は、プロセッサ２０４、またはワイヤレスデバイス２０２の別の要素に実装される。
【００４７】
[0061]以上で議論されるように、ＤＳＰ２２０は、送信のためのデータユニットを生成するように構成されうる。いくつかの態様では、変調器３０２および変換モジュール３０４は、制御情報および複数のデータシンボルを含む複数のフィールドを備えるデータユニットを生成するように構成されうる。制御情報を含むフィールドは、１つまたは複数のトレーニングフィールド、および例えば、１つまたは複数の信号（ＳＩＧ）フィールドを備える。トレーニングフィールドの各々は、ビットまたはシンボルの既知のシーケンスを含みうる。ＳＩＧフィールドの各々は、データユニットに関する情報、例えば、データユニットのデータレートまたは長さの記述を含みうる。
【００４８】
[0062]図３の記述に戻って、ワイヤレスデバイス２０２ａは、変換モジュールの出力をアナログ信号に変換するように構成されたデジタルアナログ変換器３０６をさらに備える。例えば、変換モジュール３０６の時間領域出力は、デジタルアナログ変換器３０６によってベースバンドＯＦＤＭ信号に変換されうる。デジタルアナログ変換器３０６は、プロセッサ２０４、またはワイヤレスデバイス２０２の別の要素中に実装されうる。いくつかの態様では、デジタルアナログ変換器３０６は、トランシーバ２１４、またはデータ送信プロセッサ中に実装されうる。
【００４９】
[0063]アナログ信号は、送信機２１０によってワイヤレスに送信されうる。アナログ信号は、例えば、フィルタに掛けられることによって、または中間周波数あるいは搬送周波数にアップコンバートされることによって、送信機２１０により送信される前に処理されうる。図３に説明される態様では、送信機２１０は、送信増幅器３０８を含む。送信される前に、アナログ信号は、送信増幅器３０８によって増幅されうる。いくつかの態様では、増幅器３０８は、低雑音増幅器（ＬＮＡ）を備える。
【００５０】
[0064]送信機２１０は、アナログ信号に基づいてワイヤレス信号中の１つまたは複数のパケット、またはデータユニットを送信するように構成される。データユニットは、プロセッサ２０４および／またはＤＳＰ  ２２０を使用して、例えば、以上で議論された変調器３０２および変換モジュール３０４を使用して生成される以上で議論されるように生成され送信されたデータユニットは、図５−１０に関して以下の追加の詳細で記述される。
【００５１】
[0065]図４は、ワイヤレス通信を受信するためにワイヤレスデバイス２０２において利用されうる様々なコンポーネントを説明する。図４で説明されるコンポーネントは、例えば、ＯＦＤＭ通信を受信するために使用されてもよい。いくつかの態様では、図４で説明されるコンポーネントは、以下の追加の詳細で議論されることになるような１つまたは複数のトレーニングフィールドを含むデータユニットを受信するように使用される。例えば、図４で説明されるコンポーネントは、図３に関して以上で議論されたコンポーネントによって送信された受信データユニットを受信するように使用されうる。参照の容易さのために、図４で説明されるコンポーネントで構成されたワイヤレスデバイス２０２は、以下にワイヤレスデバイス２０２ｂと称されうる。
【００５２】
[0066]受信機２１２は、ワイヤレス信号中の１つまたは複数のパケットまたはデータユニットを受信するように構成される。データユニットは、受信され、復号されうる。
【００５３】
[0067]図４で示された説明される態様では、受信機２１２は、受信増幅器４０１を含む。受信増幅器４０１は、受信機２１２によって受信されたワイヤレス信号を増幅するように構成されうる。いくつかの態様では、受信機２１２は、自動利得制御（ＡＧＣ）プロシージャを使用して、受信増幅器４０１の利得を調節するように構成される。いくつかの態様では、自動利得制御は、例えば、利得を調節するために、受信ショートトレーニングフィールド（ＳＴＦ）のような、１つまたは複数の受信トレーニングフィールド中の情報を使用する。当業者は、ＡＧＣを実行するための方法を理解することになる。いくつかの態様では、増幅器４０１は、ＬＮＡからなる。
【００５４】
[0068]ワイヤレスデバイス２０２ｂは、受信機２１２からの増幅されたワイヤレス信号をそのデジタル表現に変換するように構成されたアナログデジタル変換器４０２を備えうる。さらに、増幅されることに加えて、ワイヤレス信号は、フィルタに掛けられることによって、または中間周波数あるいはベースバンド周波数にダウンコンバートされることによって、デジタルアナログ変換器４０２によって変換される前に処理されうる。アナログデジタル変換器４０２は、プロセッサ２０４またはワイヤレスデバイス２０２の別のエレメント中に実装されうる。いくつかの態様では、アナログデジタル変換器４０２は、トランシーバ２１４またはデータ受信プロセッサ中に実装されうる。
【００５５】
[0069]ワイヤレスデバイス２０２ｂは、ワイヤレス信号の表現を周波数スペクトルに変換するように構成された変換モジュール４０４をさらに備える。図４では、変換モジュール４０４は、高速フーリエ変換（ＦＦＴ）モジュールによって実装されるように説明される。いくつかの態様では、変換モジュールは、それが使用する各ポイントのシンボルを識別しうる。
【００５６】
[0070]ワイヤレスデバイス２０２ｂは、データユニットが受信されるチャネルの推定値を形成し、チャネル推定値に基づいてチャネルのある影響を取り除くように構成されるチャネル推定器およびイコライザ４０５をさらに備えうる。例えば、チャネル推定器は、チャネルの関数を近似するように構成され、チャネルイコライザは、周波数スペクトルにおいてデータにその関数の逆数を適用するように構成されうる。
【００５７】
[0071]いくつかの態様では、チャネル推定器とチャネルイコライザ４０５は、例えば、チャネルを推定するために、ロングトレーニングフィールド（ＬＴＦ）のような、１つまたは複数の受信トレーニングフィールド中の情報を使用する。チャネル推定値は、データユニットの最初で受信される１つまたは複数のＬＴＦに基づいて形成されうる。このチャネル推定値は、その後、１つまたは複数のＬＴＦに続くデータシンボルをイコライズするために使用され得る。ある時間期間の後、またはある数のデータシンボルの後、１つまたは複数の追加のＬＴＦは、データユニット中で受信されうる。チャネル推定値は、追加のＬＴＥを使用して更新されるか、または形成される新しい推定値である。この新しいまたは更新チャネル推定値は、追加のＬＴＦに続くデータシンボルをイコライズするために使用されうる。いくつかの態様では、新しいまたは更新されたチャネル推定値は、追加のＬＴＦに先行するデータシンボルを再度イコライズするために使用される。当業者は、チャネル推定値を形成するための方法を理解するだろう。
【００５８】
[0072]ワイヤレスデバイス２０２ｂは、イコライズされたデータを復調するように構成された復調器４０６をさらに備える。例えば、復調器４０６は、例えば、コンステレーションにおけるビットのマッピングをシンボルに逆進することによって、変換モジュール４０４およびチャネル推定値とチャネルイコライザ４０５によるシンボル出力から複数のビットを決定しうる。ビットは、プロセッサによって処理されるまたは評価される、あるいはユーザインターフェース２２２に情報をディスプレイするさもなければ出力しうる。このように、データおよび／または情報は、復号されうる。いくつかの態様では、ビットは、コードワードに対応する。１つの態様では、復調器４０６は、ＱＡＭ（直交振幅変調）復調器、例えば、１６−ＱＡＭ復調器、６４−ＱＡＭ復調器を備える。他の態様では、復調器４０６は、二位相偏移変調（ＢＰＳＫ）復調器、または四位相偏移変調（ＱＰＳＫ）復調器を備える。
【００５９】
[0073]図４では、変換モジュール４０４、チャネル推定器とイコライザ４０５、および復調器４０６は、ＤＳＰ２２０中に実装されるように説明される。しかしながら、いくつかの態様では、変換モジュール４０４、チャネル推定器とイコライザ４０５、および復調器４０６のうちの１つまたは複数のものは、プロセッサ２０４中に、またはワイヤレスデバイス２０２の別の要素中に実装されうる。
【００６０】
[0074]以上で議論されるように、受信機２１２で受信されたワイヤレス信号は、１つまたは複数のデータユニットを備える。以上で記述された機能またはコンポーネントを使用して、その中におけるデータユニットあるいはデータシンボルは、評価されて復号される、ないし評価されるまたは処理されうる。例えば、プロセッサ２０４および／またはＤＳＰ  ２２０は、変換モジュール４０４、チャネル推定器とイコライザ４０５、および復調器４０６を使用して、データユニット中のデータシンボルを復号するために使用されうる。
【００６１】
[0075]以上で議論されるように、ＡＰ１０４およびＳＴＡ  １０６によって交換されるデータユニットは、以上で議論されるような制御情報またはデータを含みうる。物理（ＰＨＹ）レイヤで、これらのデータユニットは、物理レイヤプロトコルデータユニット（ＰＰＤＵ）と称されうる。いくつかの態様では、ＰＰＤＵは、パケットまたは物理レイヤパケットと称されうる。各ＰＰＤＵは、プリアンブルおよびペイロードを備えうる。プリアンブルは、トレーニングフィールドおよびＳＩＧフィールドを含みうる。ペイロードは、例えば、メディアアクセス制御（ＭＡＣ）ヘッダまたは他のレイヤのためのデータ、および／またはユーザデータを備えうる。ペイロードは、１つまたは複数のデータシンボルを使用して送信されうる。本明細書のシステム、方法、およびデバイスは、ピーク対電力比が最小化されたトレーニングフィールドを持つデータユニットを利用しうる。
【００６２】
[0076]ＯＦＤＭを使用する時、使用中の周波数帯域の多数の直交サブキャリアを使用する情報。使用されるサブキャリアの数は、使用のために利用可能な周波数帯域、帯域幅、および任意の関連する規定制約を含む様々な考慮に依存しうる。使用されるサブキャリアの数は、各変調サブキャリアが送信されるようにＯＦＤＭ信号を生成するＩＦＦＴモジュールへの入力であるような、ＦＦＴモジュールのサイズに関連付けられる。そのため、いくつかの実装では、より大きなＦＦＴサイズ（例えば、６４、１２８、２５６、５１２）は、より多くのサブキャリアを使用してデータを送信することに対応して、より大きな帯域幅を達成することが望まれうる。他の実装では、より小さなＦＦＴサイズは、狭い帯域幅中のデータを送信するために使用されうる。サブキャリアの数、およびしたがってＦＦＴサイズは、ある帯域幅制限を持つ規定領域に応じるために選ばれうる。そのため、ワイヤレスデバイス２０２ａは、ＦＦＴまたはＩＦＦＴモジュールとして実装されるいくつかの変換モジュールを含み、各々が使用されるために指定されるサブキャリアの数に応じるために異なるサイズである。変換モジュール３０４のうちの少なくとも１つは、本明細書に記述されたある態様にしたがって、３２ポイントサイズＩＦＦＴまたはＦＦＴモジュールでありうる。
【００６３】
[0077]ロスを伴うワイヤレス通信媒体を仮定して、様々なコンポーネントは、信号が大部分正確に復元できることを保証するために、ワイヤレス通信デバイス２００内に含まれうる。１つの技術は誤り訂正の使用である。誤り訂正を用いて、１つのビットまたは複数のビットが失われた場合、それらは、どんな誤り訂正コーディングが行われたかにしたがって失われなかった他のビットを使用して復元されるかもしれない。誤り訂正がすべての誤りを修正することができないので、ある誤り条件は、復元できない誤りを引き起こすかもしれない。例えば、４つの情報ビットがリードソロモン誤り訂正符号化を使用して７つの送信ビットに符号化された場合であり、７つの送信ビットのうちの任意の４つが復元された場合、４つの情報ビットは、決定されることができる。しかしながら、送信ビットのうちの３つより多くのものが失われる場合、完全情報は復元することができない。いくつかのそのような符号化がある場合であって、４ビットが失われるとき、もしそれらすべてが１つの符号化から失われる場合、情報は失われるが、４ビットが符号化ごとに２ビットずつ失われるとき、情報は復元可能であることに注意されたい。潜在的損失を分散させる１つのアプローチは、インターリーブすることである。
【００６４】
[0078]以上で議論されるように、十分に利用されない周波数スペクトルの１つの例は、ＴＶ周波数帯域を含みうる。例えば、テレビ周波数帯域幅は、１００Ｍｈｚを超える周波数空間を占領する場合、ある態様中の優れた信号対雑音特徴を提示しうる。したがって、無認可のチャネルは、放送局に認可されていないテレビジョンチャネルを含み、本明細書でＴＶＷＳと称される。例えば、テレビジョンプログラミングのアナログブロードキャストからデジタルブロードキャストへの遷移は、現在のＴＶＷＳを含む以前使用されたスペクトルを自由にした。
【００６５】
[0079]デバイスがＴＶＷＳ中で送信する前に、デバイスは、ＴＶチャネルが認可された送信機および／又は他のプライマリユーザに対して空であることをチェックしうる。ある態様では、プライマリは、ＴＶスペクトルの特定の一部の使用により高い優先順位を有するあるいは受け継いだ権利を有するユーザである。例えば、ワイヤレスマイクロフォンシステムは、ワイヤレス通信システム１００のある態様中のプライマリユーザと見なされうる。
【００６６】
[0080]いくつかの態様では、ＴＶＷＳ中で送信することを望むデバイスは、登録されたプライマリユーザ情報を有するデータベースと通信することを通じて、および／またはある態様ではスペクトルセンシングを通じて、ＴＶプライマリユーザの存在または不在を推論しうる。ある規定スキームは、所与の地理的ロケーションで、特定の周波数帯域の全てのプライマリユーザによって占められ  た、データベースを考慮する、例えば、ＦＣＣによって管理されるまたは他のボディあるいはエージェンシによって管理されうる。
【００６７】
[0081]いくつかの態様では、ＴＶＷＳ中で通信することを望むデバイスは、ＴＶチャネルがデータベース中に登録されたＴＶプライマリユーザから空であるどうか決定するために、ある精度内で、例えば５０メートル内でその地理的ロケーションを決定するように構成されうる。しかしながら、ＴＣＷＳ中で通信することを望むいくつかのデバイスは、そのような正確な地理的ロケーションを決定することができないまたは選択できえない。例えば、デバイスは、そのような地理的ロケーション決定能力を装備していない、また精度の程度に対する地理ロケーションの決定を不可能にさせるロケーション内にありうる。
【００６８】
[0082]図５は、図１のワイヤレス通信システム内に用いられうるワイヤレス通信デバイスｊ５００の態様の機能ブロック図である。デバイス５００は、地理的ロケーションモジュール５０１、地理的ロケーションアンテナ５０２、処理モジュール５０５、ホワイトスペーストランシーバ５０７、第２のトランシーバ５０３および／または第２のアンテナ５０４を含みうる。いくつかの態様では、地理的ロケーションモジュール５０１および第２のトランシーバ５０５は、図５で説明されるように、２つの別個のアンテナの代わりに共通アンテナを両方に使用しうる。いくつかの態様では、例えば、第２のトランシーバ５０３がワイヤード接続を通じて情報を送り、受信するように構成される場合、第２のアンテナ５０４は、省略されうる。ワイヤレス通信装置５００の以上で記述されたコンポーネントのうちの１つまたは複数のものは、データベース５０６と通信しうる。
【００６９】
[0083]図６は、図５で説明されたデータベース５０６の態様の表現である。データベース５０６は、認可された周波数帯域またはスペクトルにおける周波数または通信チャネルに関する情報を含みうる。例えば、データベース５０６は、テレビ周波数帯域に関する情報を含みうる。いくつかの態様では、データベース５０６は、周波数帯域中で送信するユーザを識別するユーザ情報を備えうる。ユーザ情報は、例えば、特定の周波数帯域の１つまたは複数の認可されたユーザあるいはプライマリユーザに関する情報を含みうる。ユーザ情報は、信号強度、プライマリユーザ地理的ロケーション、ユーザに関連した周波数、またはユーザ通信のための特定の周波数帯域あるいはチャネルのうちの１つまたは複数のものを含みうる。いくつかの態様では、ユーザ情報は、ホワイトスペース中のチャネルにおける送信のために登録され、許可され、あるいは可能する、デバイスに関連するいくつかの態様では、ユーザ情報は、システム１００中で、システム１００の特定チャンネル中で、またはホワイトスペースの特定チャンネル中で送信することが許可されない１つまたは複数のデバイスを識別する情報を含みうる。システム１００は、いくつかの態様に与えられたチャネルにわたる任意の数のユーザを含みうる。追加および／または代替として、ユーザ間の優先順位の序列は、チャネルに対してより高い優先順位を有するユーザがチャネルにわたってより低い優先順位を有するユーザによって干渉されないように、適用されることができる。
【００７０】
[0084]図７は、ワイヤレス通信を送受信するために図２のワイヤレスデバイスのような、ワイヤレスデバイスで実装されうるＭＩＭＯシステムの機能ブロック図である。送信されるべきビットは、受信機２０２ｂの出力で受信される、ビットストリーム上で前方誤り訂正（ＦＥＣ）コードを適用しうる符号器７０４に提供される。ＦＥＣコードは、ブロックコード、畳み込みコード、等でありうる。符号化されたビットは、Ｍ個の送信ストリームにその入力を分配するインターリービングシステム７０５に提供される。
【００７１】
[0085]以下の略語は、インターリービングシステムを記述することに連動して以下で使用されうる。  
NCBPS：シンボル当たりのコード化されたビットの数；  
NCBPSS(i)：シンボル当たり、ｉ番目の空間ストリーム当たりのコード化ビットの数；  
NDBPS：シンボル当たりのデータビットの数；  
NBPSC：単一のキャリヤ当たりのコード化ビットの数；  
NBPSCS(i)：空間ストリームｉのための単一キャリヤ当たりのコード化されたビットの数；  
NSS：空間ストリームの数；  
iSS：空間ストリーム；  
NCOL：インターリーバ列の数またはインターリービング深さ（IDEPTH）；  
NROW：インターリーバ行の数；  
Dn：送信機／空間ストリーム（ＴＸ）のためのサブキャリアにおけるシフト。
【００７２】
[0086]インターリービングシステム７０５は、符号器７０４からＮ個の空間ストリームインターリーバ７０８ａ、７０８ｂおよび７０８ｃまでの入力ビットストリームを解析する（parse）ストリームパーザ７０６を含む。パーザは、空間ストリームの数で提供され、ラウンドロビン基準上のビットを解析しうる。他の解析関数はさらに使用されうる。使用される１つの解析関数は、kn = NTX * k + nである（つまり、空間ストリーム当たり１ビットでラウンドロビン、その後、次の空間ストリーム上へ、ここで、knは、入力ビットインデックスであり、NTXは、送信機／空間ストリームの数である）。別のより一般的な関数ｆ（ｋ，ｎ）がさらに使用され、例えば、空間ストリームに２ビットを送り、その後、次の空間ストリーム上へ移る。各インターリーバ７０８ａ、７０８ｂ、および７０８ｃは、誤りがフェージングまたは他のチャネル条件に起因して回復されるようにビットをその後分配しうる。以下で、インターリーバ７０８ａ、７０８ｂ、および７０８ｃは、インターリーバ７０８と称されうる。
【００７３】
[0087]いくつかの実施形態では、インターリーバ７０８は、周波数インターリービングを実行するように構成されうる。ストリームパーザ７０５は、NCBPSS(iSS)ビットのブロックを出力しうる。その後、各ブロックは、行に書き込み、列を読み込む、インターリーバ７０８によってインターリーブされうる。列の数Ncol、またはインターリーバ深度は、使用される特定の帯域幅および周波数に対する誤りを回復する能力を最適化するように選ばれうる
[0088]ＯＦＤＭ−ＭＩＭＯ送信は、１つまたは複数の６ＭＨｚ ＴＶチャネルの各々のために使用されうる。タイミングに関連する制約は、表１に従いうる：  
【表１】
2015528255.tif 000003
【００７４】
[0089]いくつかの実施形態では、複数のセグメントを使用して送信モードがサポートされる。例えば、そのようなモードは、２つの連続的なセグメント（TVHT_MODE_2C）にわたる送信、２つの連続しないセグメント（TVHT_MODE_2N）にわたる送信、４つの連続的なセグメント（TVHT_MODE_4C）にわたる送信、および４つの連続しないセグメント（TVHT_MODE_4N）にわたる送信を含む。各モードのためのトーンのロケーションは、以下の表２に示される：  
【表２】
2015528255.tif 000004
【００７５】
[0090]いくつかの実施形態では、規定標準に従うために、各６ＭＨｚのうちの５．３３ＭＨｚのみが使用される。各セグメント内では、１０８個の直交サブキャリア（つまりトーン）が送信データに使用されうる。いくつかの実施形態では、他のトーンは、パイロットトーン、ＤＣトーン、およびガードトーンのような、他の目的のために使用されうる。
【００７６】
[0091]インターリーバ深度NCOLは、様々な実施形態にしたがって１０８個のデータトーンのために最適化されうる。１つの態様では、インターリーバ深度NCOLは、送信モードにしたがってデータトーンの数のファクタ（つまり、１０８個のファクタ）であるように選ばれうる。そのため、２つのセグメント（ブロックサイズ＝NSD・NSeg＝２１６）に対して、NCOLは、２、３、４、５、６、８、９、１２、１８、２４、２７、３６、５４、７２、および１０８のグループから選択されうる。選択された深度NCOLは、受信機２０２ｂでメッセージを復元することができるように、どの深度が２１６個のトーンにわたって最良の周波数ダイバーシティを提供するかに基づいて選ばれうる。さらに、４つのセグメント（ブロックサイズ＝NSD・NSeg＝４３２）に対して、NCOLは、２、３、４、５、６、８、９、１２、１８、２４、２７、３６、４８、５４、７２、１０８、１４４、および２１６のグループから選択されうる。選択された深度NCOLは、受信機２０２ｂでメッセージを復元することができるように、どの深度が４３２のトーンにわたって最良の周波数ダイバーシティを提供するかに基づいて選ばれうる。
【００７７】
[0092]いくつかの実施形態では、２つのセグメント（ブロックサイズ＝２１６）に対して、NCOLは、２７であり、４つのセグメント（ブロックサイズ＝４３２）に対して、NCOLは、４８でありうる。いくつかの実施形態では、２つのセグメント（ブロックサイズ＝２１６）に対して、NCOLは、２７、３６、２４、５４、１８、１２、７２、および１０８のうちの１つであり、４つのセグメント（ブロックサイズ＝４３２）に対して、NCOLは、４８、５４、３６、２７、７２、２４、１８、および１４４のうちの１つでありうる。しかしながら、他の深度はさらに使用され他の利点を提供しうる。
【００７８】
[0093]図７を参照して、インターリーバ７０８は、符号器からの入力シーケンスにおけるコード化ビットを取り込みうる、ここで、符号化ビットは、ｋによって表されるインデックスを有する（つまり、ビットは、ｋ＝０、ｋ＝１、ｋ＝２として到着する）。その後、インターリーバは、ビットがそれらｊインデックスによって順番に出力されるように、再順序付けされうる。この配列を使用して、隣接ビットは、それらがいくつかのサブキャリアによって異なるように、分離されうる。ＱＰＳＫまたはより高い次数のコンステレーションに対して、所与のサブキャリア内に１６ビットの差がありうる。インターリーブすることは、３つの置換を使用して定義されうる。
【００７９】
[0094]第１の置換は、式１によって与えられうる。  
【数１】
2015528255.tif 000005
【００８０】
[0095]以上で記述されるように、第１のモードでは、２つのセグメント（ブロックサイズ＝２１６）に対して、NCOLは、２１６個のデータトーンのために、２、３、４、５、６、８、９、１２、１８、２４、２７、３６、５４、７２、および１０８のグループから選択され、第２のモードでは、４つのセグメント（ブロックサイズ＝４３２）に対して、NCOLは、４３２個のデータトーンのために２、３、４、５、６、８、９、１２、１８、２４、２７、３６、４８、５４、７２、１０８、１４４、および２１６のグループから選択されうる
[0096]第２の置換は、式２によって与えられうる。  
【数２】
2015528255.tif 000006
【００８１】
[0097]s(iSS)の値は、サブキャリア当たりのコード化ビットの数によって決定されうる。１つより多くの空間ストリームが存在する（つまり、NSS＞１）であるとき、インターリーバ７０８は、第３の置換中に周波数ローテーションを実行しうる。
【００８２】
[0098]周波数ローテーションは、式３に示されるような第２の置換の後に適用されうる。  
【数３】
2015528255.tif 000007
【００８３】
ここで、iSSは、インターリーバが動作する空間ストリームのインデックスであり、NROTは、ベースサブキャリアローテーションを定義する。
【００８４】
[0099]周波数ローテーションが定義されうる。この場合、サブキャリアローテーションDn（つまり、各インターリーバが開始するブロックにおけるコード化されたデータ）が式Dn = NROT * rotによって与えられるような、ベースサブキャリアローテーションNROTおよび、インターリーブローテーションインデックス「rot」の関数である。これは、（以上で記述されるような行と列で構成される）行列では、出力では、第２の置換の各空間ストリームからの出力が各利用可能なデータトーンおよび対応する周波数上の送信値個々の利用可能なデータトーンおよび対応する周波数上の値をどこで送信し始めるかを定義する。
【００８５】
[0100]１つの実施形態に従って、ベースサブキャリアローテーションNROTおよびローテーションインデックスrotの値は、２つまたは４つのセグメント送信で使用するために決定される。改善された周波数ダイバーシティを提供し、もともと隣接したコード化ビットが空間ストリーム間と、周波数との両方に散在することを保証するために、値は、２１６あるいは４３２個のデータトーンのために最適化されうる。２つのセグメント送信、２１６個のデータトーン、に対して、ベースサブキャリアローテーションNrotは、１乃至５４からのものであり、４つのセグメント送信、４３２個のデータトーン、に対して、ベースサブキャリアローテーションNrotは、１乃至１０８からのものでありうる。いくつかの実施形態では、２つのセグメント送信に対して、ベースサブキャリアローテーションNrotは、４６であり、４つのセグメント送信に対して、ベースサブキャリアローテーションNrotは、７８である。いくつかの実施形態では、２つのセグメント送信に対して、ベースサブキャリアローテーションNrotは、４６、５４、５０、３４、４２、４５、２１、３０、５２、４３、４９、４１、２４、２５、および３８のうちの１つであり、４つのセグメント送信に対して、ベースサブキャリアローテーションNrotは、７８、９４、１０１、６６、７５、７９、８７、９３、９１、１０６、７０、７６、９８、および１００のうちの１つである。
【００８６】
[0101]４つまでの空間ストリームを仮定して、インターリーブローテーションインデックスrotは、rot＝［０ ２ １ ３］であり、各インデックスは、異なる空間ストリームに対応する。ローテーションインデックスは、各インターリーバが対応するデータトーンにマップするために開始するブロック内でのデータが空間ストリームの変数を与える最大距離によって分離するのを保証するために決定される。インデックス［０ ２ １ ３］は、近隣ストリームペア（ストリーム１、２、３および４）が、周波数中で最大限に分離されるように、ビット逆数演算によって決定されうる。そのため、Nrotが４であるように選ばれる場合、第１の空間ストリームのためのインターリーバ７０８は、式Dn = NROT * rot（つまり４＊０）にしたがって第１のデータトーンに、第２の置換によるそのブロック出力の第１の位置に対応するビットをマップしうる。第２の空間ストリームに対して、NROT = 4を仮定すると、サブキャリアローテーションは、４＊２または８であろう。そのため、第２の空間ストリームのためのインターリーバ７０８は、空間ストリームのための第１のデータトーンに、そのブロックの９番目の位置に対応するビットをマップしうる。第３の空間ストリームに対して、NROT = 4を仮定すると、サブキャリアローテーションは、４＊１、または４であろう。そのため、３番目の空間のストリームのためのインターリーバ４０８は、第１のデータトーンに、そのブロックの５番目の位置に対応するビットをマップしうる。最後に、４番目の空間ストリームは、第１のデータトーンに、ブロックの１３番目の位置に対応するビットをマップすることになるだろう。
【００８７】
[0102]第１のモードでは、２つのセグメント送信に対して、空間ストリームの数が１より大きくNCOL = 27である場合、Nrot = 46は、ほとんどの場合に改善されたパフォーマンスを提供しうる。そのため、サブキャリアローテーションは、４６＊［０ ２ １ ３］に等しくなりうる。そのため、Nrotが４６であるように選ばれる場合、第１の空間ストリームのためのインターリーバ７０８は、式Dn = NROT * rot（つまり４６＊０） = 0にしたがって第１のデータトーンに、第２の置換によるそのブロック出力の第１の位置に対応するビットをマップしうる。第２の空間ストリームに対して、NROT = 46を仮定すると、サブキャリアローテーションは、４６＊２または９２になるだろう。そのため、第２の空間ストリームのためのインターリーバ７０８は、その空間ストリームのための第１のデータトーンに、そのブロックの９３番目の位置に対応するビットをマップしうる。第３のストリームに対して、NROT = 46を仮定すると、サブキャリアローテーションは４６＊１または４６になるだろう。そのため、第３の空間のストリームのためのインターリーバ７０８は、第１データトーンにそのブロックの４７番目の位置に対応するビットをマップしうる。最後に、第４の空間ストリームは、第１のデータトーンに、ブロックの１３９番目の位置に対応するビットをマップすることになる。
【００８８】
[0103]第２のモードでは、４つのセグメント送信に対して、空間ストリームの数が１より大きく、NCOL = 48である場合、Nrot = 78は、ほとんどの場合に改善されたパフォーマンスを提供しうる。そのため、サブキャリアローテーションは、78 * [0 2 1 3]に等しくなりうる。そのため、Nrotが７８であるように選ばれる場合、第１の空間ストリームのためのインターリーバ７０８は、式Dn = NROT * rot（つまり７８＊０） = 0にしたがう第１データトーンに、第２の置換によるそのブロック出力の第１の位置に対応するビットをマップしうる。第２の空間ストリームに対して、NROT = 78を仮定すると、サブキャリアローテーションは、７８＊２または１５６になるだろう。そのため、第２の空間ストリームのためのインターリーバ７０８は、その空間ストリームのための第１のデータトーンに、そのブロックの１５７番目の位置に対応するビットをマップしうる。第３のストリームに対して、NROT = 78を仮定すると、サブキャリアローテーションは、７８＊１または７８になるだろう。そのため、第３の空間ストリームのためのインターリーバ７０８は、第１データトーンに、そのブロックの７９番目の位置に対応するビットをマップしうる。最後に、第４の空間ストリームは、第１のデータトーンに、ブロックの３０３番目の位置に対応するビットをマップすることになるだろう。
【００８９】
[0104]したがって、インターリービングシステム７０５および他の対応するハードウェアは、複数のモードで動作するように構成される。例えば、どのモードが使用されるかは、利用可能なチャネルの数に少なくとも部分的に基づきうる。いくつかの実装では、モードによって変わるパラメータは、ブロックサイズ、インターリーバ深度（NCOL）、およびベースサブキャリアローテーション（Nrot）を含む。例えば、２つのチャネルが利用可能な場合、２つのセグメントモードが選択され、ブロックサイズは、２１６であり、インターリーバ深度は、２７であり、サブキャリアローテーションは、４６でありうる。４つのチャネルが利用可能な場合、４つのセグメントモードが選択され、ブロックサイズは、４３２であり。インターリーバ深度は、４８であり、サブキャリアローテーションは、７８でありうる。いくつかの態様では、使用されるモードは、送信デバイスおよび受信デバイスの能力に、少なくとも部分的に、基づきうる。例えば、ある受信デバイスは、２チャネルモードで動作することができるが、４チャネルモードでは動作できなえない。そのようなデバイスに通信する場合、２つのチャネルを使用する第１のモードが使用されうる。しかしながら、受信デバイスが４つのチャネルで受信する能力があり、４つのチャネルが利用可能なとき、４つのチャネルを使用する第２のモードが使用されうる。
【００９０】
[0105]したがって、上記によれば、NCOL、NROTおよびローテーションインデックスrotに対する値は、それぞれ２１６個および４３２個のデータトーンでの使用のための２および４セグメント送信モードのために決定されうる。様々な考慮すべき事項は、例えば、パケット長さ（例えば、２５６バイト）、ＭＩＭＯ構成（例えば１ｘ１、２ｘ２  ２ｓｓ、および４ｘ４  ４ｓｓ）、チャネルのタイプ、または変調およびコーディングスキーム（例えば、ＢＰＳＫ  １／２、ＱＰＳＫ  １／２、１６ＱＡＭ  １／２、６４ＱＡＭ  ２／３、２５６のＱＡＭ  ３／４）のような、選択にどれが評価されるか決定されるために使用される。図８−１５は、信号対雑音比（ＳＮＲ）対パケット誤り率（ＰＥＲ）を示すプロットを用いてNCOLの様々な選択のためのパフォーマンスのシミュレーション結果の例を示す。シミュレーションは、様々なチャネルモデル（８０２．１１ｎ  Ｄ、ＳＣＭのアーバンマイクロ、およびＳＣＭのアーバンマクロ）のために様々なモード（TVHT_MODE_2C、TVHT_MODE_2N、TVHT_MODE_4C、およびTVHT_MODE_4N）のために実行されたものである。図８−１５のシミュレーションに対して、ＭＣＳ ３が使用された。従って、２つのセグメントモードに対して、１６ＱＡＭ、R = 1/2、NBPSCS = 4、NSD・NSeg = 216、およびNSP = 12が使用され、４つのセグメントモードに対して、１６ＱＡＭ、R = 1/2、NBPSCS = 4、NSD・NSeg = 432、およびNSP = 24が使用された。図８−１１によって示されるように、NCOL = 27は、２つのセグメント送信に対して最高のＰＥＲパフォーマンスを提供する。図１２−１５によって示されるように、NCOL = 48は、４つのセグメント送信に対して最高のＰＥＲパフォーマンスを提供する。NCOL = 27を使用する同様のシミュレーションは、最高のＰＥＲパフォーマンスが２つのセグメント送信に対してNrot = 46で達成されることを示す。同様に、NCOL = 48を使用するシミュレーションは、最高のＰＥＲパフォーマンスが４つのセグメント送信に対してN rot = 78で達成されることを示す。ＭＣＳ ０、ＭＣＳ ５、およびＭＣＳ ７のためのシミュレーションは、同様の結果を示す。  
【表３】
2015528255.tif 000008
【００９１】
[0106]図７に示されるように、各送信ストリームは、変調器７０２ａ、７０２ｂ、または７０２ｃによって変調され、テレビジョンホワイトスペースおよび８０２．１１送信のために使用される他のもののようなある周波数帯域を使用してワイヤレス無線空間に、アンテナ７１２ａ、１２ｂ、または７１２ｃを使用して、変調された送信ストリームを送信する、送信回路７１０ａ、７１０ｂ、または７１０ｃに渡される。ビットは、ＱＰＳＫ（４位相偏移変調）変調、ＢＰＳＫ（一度に１ビットをマップすること）、１６ＱＡＭ（６ビットのグループをマップすること）、等を使用して変調されうる。送信回路７１０ａ、７１０ｂ、および７１０ｃモジュールは、テレビジョンホワイトスペースを使用して送信するように構成されうる。いくつかの実施形態では、送信モジュールは、例えば、２つのセグメント送信のために、２つのテレビジョンチャネルのホワイトスペースを使用して送信するように構成される。いくつかの実施形態では、送信モジュールは、例えば、４つのセグメント送信のために、４つのテレビジョンチャネルのホワイトスペースを使用して送信するように構成される。
【００９２】
[0107]いくつかの実施形態では、アンテナ７１２ａ、７１２ｂ、および７１２ｃは、別個のアンテナであり、空間的に分離されたアンテナである。他の実施形態では、Ｍ個のアンテナより少数のアンテナからの（off of）別個の信号は、異なる分極に組み合されうる。この例は、複数の空間ストリームが単一アンテナにマップされ、空間ローテーションまたは空間拡散が完了した場合である。どのような場合でも、別個の空間ストリームが異なる方法で別個の空間のストリームを組織化されることができることを理解すべきである。例えば、送信アンテナは、１つより多くの空間ストリームからのデータを搬送する、または、いくつかの送信アンテナは、空間ストリームからのデータを搬送しうる。例えば、４つの送信アンテナおよび２つの空間ストリームを持つ送信機の場合を考慮する。その場合、各空間ストリームは、２つの送信アンテナ上にマップされることでき、その結果、２つのアンテナは、１つの空間ストリームのみからのデータを搬送する。
【００９３】
[0108]受信機２０２ｂは、Ｎ個の受信回路７１６ａ、７１６ｂ、および７１６ｃに接続された、（必要に応じて、別個の分極をカウントする）アンテナ７１４ａ、７１４ｂ、および７１４ｃでチャネルからの信号を受信する。受信回路７１６ａ、７１６ｂ、および７１６ｃの出力は、ＭＩＭＯ検出器７１８に提供される、それは、復元不能な誤りのない、符号化器に入力された送信ビットと同じである、受信ビットを次々に出力する、復号器に出力を提供する。ＭＩＭＯ検出器１３４は、おそらく適切なデインターリーバ（図示せず）を有しうる。デインターリーバ（図示せず）は、以上で議論されるような逆動作を実行するような演算を使用しうる。
【００９４】
[0109]図１６は、図７の例示のインターリーバ７０８の機能ブロック図を示す。複数のインターリーバ７０８ａ、７０８ｂ、および７０８ｃが結合された構造に組み合されうることを理解すべきである。示されるように、入力ビットが受信され、記憶論理１３０２は、ビットバッファ１３０８にビットを記憶しうる。ビットバッファ１３０８のロケーションは、カウンタ１３０４によって指示され、典型的にはビットがビットバッファ３０４にシーケンシャルに記憶されるような状態でありうる。出力論理１３０６は、ビットバッファ１３０８からビットを読み出し、送信のためにそれらを出力しうる。ビットが読み出される順序は、以上で記述されるようにインターリーバ７０８の実装によって決定される。以上で示された式は、各ビットで計算されるために使用されるが、いくつかの実装では、インデックスが一度に計算され、出力インデックスに入力インデックスをマップする行列のようなデータ構造に記憶される。そのようなデータは、出力論理１３０６による使用のためにインターリーバ行列１３１２に結果を記憶する行列計算機１３１０を使用して生成されうる。
【００９５】
[0110]図１７は、２つのセグメントを使用して、送信のためにビットストリームをインターリーブするための例示的な方法１４００のフローチャートを示す。ブロック１４０２では、方法は、符号化されたデータをインターリーブすることと、１つまたは複数の空間ストリームに対する送信のためにインターリーブされたデータを出力することとを含み、１つまたは複数の空間ストリームのためにインターリーブすることは、２１６のブロックサイズと、２７、３６、２４、５４、１８、１２、７２、および１０８のうちの少なくとも１つのインターリーバ深度と、４６、５４、５０、３４、４２、４５、２１、３０、５２、４３、４９、４１、２４、２５、および３８のうちの少なくとも１つのベースサブキャリアローテーションとを使用する。ブロック１４０４では、方法は、１つまたは複数の空間ストリームを介して送信のためにインターリーブされたビットを送信することをさらに含む。
【００９６】
[0111]図１８は、２つのセグメントを使用した送信のためにビットストリームをインターリーブするための例示の方法１５００のフローチャートを示す。ブロック１５０２では、方法は、符号化されたデータをインターリーブすることと、１つまたは複数の空間ストリームに対する送信のためにインターリーブされたデータを出力することとを含み、１つまたは複数の空間ストリームのためにインターリーブすることは、４３２のブロックサイズと、４８、５４、３６、２７、７２、２４、１８、および１４４のうちの少なくとも１つのインターリーバ深度と、７８、９４、１０１、６６、７５、７９、８７、９３、９１、１０６、７０、７６、９８、および１００のうちの少なくとも１つのベースサブキャリアローテーションとを使用する。ブロック１５０４では、方法は、１つまたは複数の空間のストリームを介して送信のためのインターリーブされたビットを送信することをさらに含む。
【００９７】
[0112]図１９は、２つのセグメントを使用して受信したビットストリームをデインターリーブするための例示的な方法１６００のフローチャートを示す。ブロック１６０２では、方法は、１つまたは複数の空間ストリームを介してデータを受信することを含む。ブロック１６０４では、方法はさらに、受信したデータをデインターリーブすることと、１つまたは複数の空間ストリームのためにデインターリーブされたデータを出力することとを含み、１つまたは複数の空間ストリームのためにデインターリーブすることは、２１６のブロックサイズと、２７、３６、２４、５４、１８、１２、７２、および１０８のうちの少なくとも１つのインターリーバ深度と、４６、５４、５０、３４、４２、４５、２１、３０、５２、４３、４９、４１、２４、２５、および３８のうちの少なくとも１つのベースサブキャリアローテーションとを使用する。
【００９８】
[0113]図２０は、２つのセグメントを使用して受信ビットをデインターリーブするための例示的な方法１７００のフローチャートを示す。ブロック１７０２では、方法は、１つまたは複数の空間ストリームを介してデータを受信することを含む。ブロック１７０４では、方法はさらに、受信したデータをデインターリーブすることと、１つまたは複数の空間ストリームのためにデインターリーブされたデータを出力することとを含み、１つまたは複数の空間ストリームのためにデインターリーブすることは、４３２のブロックサイズと、４８、５４、３６、２７、７２、２４、１８、および１４４のうちの少なくとも１つのインターリーバ深度と、７８、９４、１０１、６６、７５、７９、８７、９３、９１、１０６、７０、７６、９８、および１００のうちの少なくとも１つのベースサブキャリアローテーションとを使用する。
【００９９】
[0114]図２１は、ワイヤレス通信システム１００内に用いられうる別の例示的なワイヤレスデバイス１８００の機能ブロック図である。当業者は、ワイヤレス通信装置が図２１に示されるワイヤレス通信デバイスより多くのコンポーネントを有しうることを認識することになる。示されたワイヤレス通信デバイス１６００は、ある実装のいくつかの顕著な特徴を記述するために有用なそれらのコンポーネントのみを含む。デバイス１８００は、ワイヤレス送信のためにデータを符号化するための符号化器１８０２を含む。ある場合では、符号化するための手段は、符号化器１８０２を含みうる。デバイス１８００は、送信のために符号化器１８０２から符号化されたデータをインターリーブするためのインターリーバ１８０４を含む。インターリーバ１８０４は、図１７および１８に説明されるブロック１４０２および１５０２に関して以上で議論された機能のうちの１つまたは複数の機能を実行するように構成されうる。ある場合では、インターリーブするための手段は、インターリーバ１６０４を含みうる。デバイス１８００は、インターリーバからの出力をワイヤレスに送信するための送信モジュール１８０６をさらに備える。送信モジュール１８０６は、図１７および１８に説明されるブロック１４０４および１５０４に関して以上で議論された機能のうちの１つまたは複数の機能を実行するように構成されうる。送信モジュール１８０４は、送信機２１０に対応しうる。ある場合では、送信するための手段は、送信モジュール１８０５を含みうる。送信モジュールは、コンステレーションマッパ、変調器、ＩＤＦＴ（逆離散時間フーリエ変換モジュール、または図３に関して上に記述されるようなＩＦＦＴ  ３０４）、デジタルアナログ変換器、増幅器、アンテナ、および他のコンポーネントを含むがこれらに限定されない、様々なコンポーネントを含みうる。
【０１００】
[0115]図２２は、ワイヤレス通信システム１００内に用いられうるまた別の例示的なワイヤレスデバイス１９００の機能ブロック図である。デバイス１９００は、ワイヤレスでデータを受信するための受信モジュール１９０２を備える。受信モジュール１９０２は、図１９および２０に説明されるブロック１６０２および１７０２に関して以上で議論された機能の１つまたは複数の機能を実行するように構成されうる。受信モジュール１９０２は、受信機２１２に対応し、増幅器４０１を含みうる。ある場合では、受信するための手段は、受信モジュール１９０２を含みうる。デバイス１９００は、受信データをデインターリーブするデインターリーバ１９０４をさらに備える。デインターリーバ１９０４は、図１９および２０に説明されるブロック１６０４および１７０４に関して以上で議論された機能の１つまたは複数の機能を実行するように構成されうる。ある場合では、デインターリーブするための手段は、デインターリーバ１９０４年を含みうる。デバイス１９００は、受信しデインターリーブされたデータを復号するための復号モジュール１９０６をさらに備える。ある場合では、復号するための手段は、復号モジュール１９０６を含みうる。
【０１０１】
[0116]本明細書において使用される場合、「決定すること」という用語は、幅広い動作を含む。たとえば、「決定すること」は、計算すること、コンピュータ処理すること、処理すること、導出すること、調査すること、ルックアップすること（たとえば、テーブル、データベース、または別のデータ構造をルックアップすること）、アサートにすること、等を含むことができる。また、「決定すること」は、解決すること、選択すること、選ぶこと、確立すること、等を含むことができる。さらに、「決定」は決心、選択し、選び、確立すること、およびその他同種のものを含みうる。
【０１０２】
[0117]本明細書において使用される場合、項目のリスト「のうちの少なくとも１つ」というフレーズは、単一の要素を含む、それらの項目の任意の組み合わせに言及するものである。例示として、「ａ、ｂ、またはｃ」のうちの少なくとも１つは、ａ、ｂ，ｃ，ａ−ｂ、ａ−ｃ、ｂ−ｃ、およびａ−ｂ−ｃを意味する。
【０１０３】
[0118]以上で記述された方法のさまざまな動作は、それらの動作を実行することができる任意の適切な手段、たとえば、さまざまなハードウェアおよび／またはソフトウェアの、コンポーネント、回路、および／またはモジュールによって実行されることができる。一般的に、図面に示した任意の動作は、それらの動作を実行することができる対応する機能的手段によって実行されることができる。
【０１０４】
[0119]本開示に関連して説明された、様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、本明細書で説明された機能を実行するように設計された、それらの任意の組み合わせを用いて実現または実行されうる。汎用プロセッサは、マイクロプロセッサでありうるが、代替的に、プロセッサは、市販の任意のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアと結合された１つ以上のマイクロプロセッサとの組み合わせ、または任意の他のそのような構成として実現されうる。
【０１０５】
[0120]１つまたは複数の態様では、説明された機能は、ハードウェア、ソフトウェア、ファームウェア、またはこれらの任意の組合せで実装されうる。ソフトウェアで実装される場合には、機能は、コンピュータ可読媒体上で１つまたは複数の命令またはコードとして格納または送信されうる。コンピュータ読み取り可能媒体は、１つの場所から別の場所へのコンピュータプログラムの転送を促進する何らかの媒体を含むコンピュータ記憶媒体および通信媒体の双方を含む。記憶媒体は、コンピュータによってアクセスできる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコードを搬送または記憶するために使用されることができ、およびコンピュータによってアクセスされることができる、任意の他の媒体を含むことができる。また、任意の接続は、コンピュータ可読媒体と厳密には称されうる。例えば、ソフトウェアがウェブサイト、サーバ、あるいは、同軸ケーブル、光ファイバーケーブル、ツイストペア(twisted pair)、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、送信媒体の定義に含まれている。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は通常、レーザーを用いて光学的にデータを再生する。したがって、いくつかの態様では、コンピュータ可読媒体は、一時的でないコンピュータ可読媒体（例えば、有体的媒体）を備えうる。さらに、他の態様では、コンピュータ可読媒体は、一時的なコンピュータ可読媒体（たとえば、信号）を備えることができる。上記の組み合わせは、また、コンピュータ可読媒体の範囲内に含まれるべきである。
【０１０６】
[0121]本明細書に開示された方法は、説明された方法を達成するための１つ以上のステップまたは動作を備える。方法のステップおよび／または動作は、本願の特許請求の範囲から逸脱せずに、互いに置き換えられうる。すなわち、ステップまたは動作の特定の順序が指定されない限り、特定のステップおよび／または動作の順序および／または使用は、本願の特許請求の範囲から逸脱せずに変更されることができる。
【０１０７】
[0122]説明された機能は、ハードウェア、ソフトウェア、ファームウェア、またはそれらの任意の組み合わせにおいて実現されうる。ソフトウェアで実現される場合、機能は、コンピュータ読取可能な媒体で１つ以上の命令として記憶されうる。記憶媒体は、コンピュータによってアクセスされることができる任意の入手可能な媒体であることができる。限定ではなく例として、そのようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコードを搬送または記憶するために使用されることができ、およびコンピュータによってアクセスされることができる、任意の他の媒体を含むことができる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。
【０１０８】
[0123]したがって、ある特定の態様は、ここに提示された動作を実行するためのコンピュータプログラム製品を備え得る。例えば、そのようなコンピュータプログラム製品は、命令を記憶（および／または符号化）したコンピュータ読取可能な媒体を備えることができ、それらの命令は、本明細書で説明された動作を実行するために１つ以上のプロセッサによって実行可能である。ある態様に対して、コンピュータプログラム製品は、パッケージングマテリアルを含むことができる。
【０１０９】
[0124]ソフトウェアまたは命令もまた、送信媒体によって送信されることもできる。例えば、ソフトウェアがウェブサイト、サーバ、あるいは、同軸ケーブル、光ファイバーケーブル、ツイストペア、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、媒体の定義に含まれている。
【０１１０】
[0125]さらに、ここに説明された方法および技法を実行するためのモジュールおよび／または他の適切な手段が、ダウンロードされ得ること、および／または、そうでなければ、ユーザ端末および／または基地局によって、適用可能に得られ得ることが理解されるべきである。たとえば、そのようなデバイスは、ここに説明された方法を実行するための手段の伝送を容易にするために、サーバに結合されることができる。代替的に、本明細書で説明された様々な方法は、デバイスに記憶手段を結合または提供することによりユーザ端末および／または基地局が様々な方法を取得できるように、記憶手段（例えば、ＲＡＭ、ＲＯＭ、コンパクトディスク（ＣＤ）またはフロッピーディスクのような物理記憶媒体、等）を介して提供されることができる。さらに、ここに説明された方法および技法をデバイスに提供するための任意の他の適切な技法が利用されることができる。
【０１１１】
[0126]本願の特許請求の範囲が、上述された、まさにその構成およびコンポーネントに限定されないことが理解されるべきである。さまざまな変更、交換、および変形が、本願の特許請求の範囲から逸脱せずに、上述された方法および装置の構成、動作、および詳細に対してなされることができる。
【０１１２】
[0127]前述の内容が、本開示の態様に向けられているが、本開示の他の態様およびさらなる実施形態は、その基本的な範囲から逸脱せずに考案されることができ、その範囲は、以下の特許請求項範囲によって決定される。
【図１】
2015528255.tif 000009
【図２】
2015528255.tif 000010
【図３】
2015528255.tif 000011
【図４】
2015528255.tif 000012
【図５】
2015528255.tif 000013
【図６】
2015528255.tif 000014
【図７】
2015528255.tif 000015
【図８】
2015528255.tif 000016
【図９】
2015528255.tif 000017
【図１０】
2015528255.tif 000018
【図１１】
2015528255.tif 000019
【図１２】
2015528255.tif 000020
【図１３】
2015528255.tif 000021
【図１４】
2015528255.tif 000022
【図１５】
2015528255.tif 000023
【図１６】
2015528255.tif 000024
【図１７】
2015528255.tif 000025
【図１８】
2015528255.tif 000026
【図１９】
2015528255.tif 000027
【図２０】
2015528255.tif 000028
【図２１】
2015528255.tif 000029
【図２２】
2015528255.tif 000030
【国際調査報告】
2015528255.tif 000031
2015528255.tif 000032
2015528255.tif 000033